(57)【要約】【課題】ユーザの知識レベルに応じた項目を順序だって表示する。【解決手段】ユーザに、セットアップマニュアルとして表示する複数の項目のうち必須項目を含むすべての項目を表示する「初級」コースと、必須項目に若干の他の項目を表示する「中級」コースと、必須項目しか表示しない「上級」コースとのうちからコースを選択することができるコースメニューを表示してコースを選択させる。コースが選択されると、選択したコースに含まれる項目を表示項目とすると共に表示項目のメニューに表示された順を表示順として設定し、ユーザの次の表示の操作に伴って設定した表示順に表示項目を表示する。この結果、ユーザの知識レベルに応じて項目を順序だって表示することができる。しかも、すべてのコースで必須項目を表示するから、必要な最低限の表示を順序だって行なうことができる。【選択図】図３
2008077678.tif 000002
【特許請求の範囲】
【請求項１】
複数の項目からなる電子マニュアルであって、
前記複数の項目のうち表示が必須の必須項目を含む表示項目を受け付け可能な表示項目受付モジュールと、
該受け付けた表示項目を前記複数の項目に設定された順にしたがって表示する表示制御モジュールと、
を備える電子マニュアル。
【請求項２】
前記表示項目受付モジュールは、表示項目が異なる複数のコースを表示すると共に該複数のコースの表示に伴って選択されるコースを受け付けることにより表示項目を受け付けるモジュールである請求項１記載の電子マニュアル。
【請求項３】
前記複数のコースは、少なくとも前記複数の項目のすべてを表示項目とするコースと前記必須項目のみを表示項目とするコースとを含む請求項２記載の電子マニュアル。
【請求項４】
前記表示項目受付モジュールは、前記複数のコースを該コースに含まれる表示項目と共に表示するモジュールである請求項２または３記載の電子マニュアル。
【請求項５】
前記表示項目受付モジュールは、前記複数の項目の見出しを表示すると共に該表示した見出しから選択される項目を表示項目として受け付けるモジュールである請求項１記載の電子マニュアル。
【請求項６】
前記表示項目受付モジュールは、選択された項目と選択されていない項目とを区別可能に表示するモジュールである請求項５記載の電子マニュアル。
【請求項７】
前記表示項目受付モジュールは、前記必須項目のすべてが選択される旨を前記見出しと共に表示するモジュールである請求項５または６記載の電子マニュアル。
【請求項８】
前記表示項目受付モジュールは、前記必須項目と該必須項目以外の項目とを区別可能に表示するモジュールである請求項２ないし７いずれか記載の電子マニュアル。
【請求項９】
複数の項目からなる電子マニュアルであって、
前記複数の項目のうち表示が必須の必須項目と該必須項目以外の項目との見出しを区別可能に且つ選択可能に予め設定された順に一覧表示する表示モジュールと、
該表示された見出しのうちの何れかが選択されたとき、前記設定された順において該選択された見出しに対応する項目より前の順に位置する必須項目の何れもが既に選択されているときには該選択された見出しに対応する項目を表示項目として設定し、前記設定された順において該選択された見出しに対応する項目より前の順に位置する必須項目の何れかがまだ選択されていないときには該見出しの選択を無効とする表示項目設定モジュールと、
該表示項目設定モジュールにより表示項目が設定されたとき、該設定された表示項目を表示する表示制御モジュールと、
を備える電子マニュアル。
【請求項１０】
前記表示項目設定モジュールは、前記見出しの選択を無効とするときには、前記設定された順において該選択された見出しに対応する項目より前の順に位置する必須項目のうちまだ選択されていない項目の見出しを用いて該未選択の必須項目の選択を促す表示を行なうモジュールである請求項９記載の電子マニュアル。
【請求項１１】
前記表示モジュールは、前記表示制御モジュールにより表示された項目の見出しと表示されていない見出しとを区別可能に表示するモジュールである請求項９または１０記載の電子マニュアル。
【請求項１２】
コンピュータの周辺機器のセットアップの手法について解説する請求項１ないし１１いずれか記載の電子マニュアル。
【請求項１３】
前記必須項目は、製造メーカー毎に設計が異なる部位についての説明である請求項１２記載の電子マニュアル。
【請求項１４】
複数の項目を表示する項目表示方法であって、
（ａ）前記複数の項目のうち表示が必須の必須項目を含む表示項目を受け付け、
（ｂ）該受け付けた表示項目を前記複数の項目に設定された順にしたがって表示する
項目表示方法。
【請求項１５】
前記ステップ（ａ）は、表示項目が異なる複数のコースを表示すると共に該複数のコースの表示に伴って選択されるコースを受け付けることにより表示項目を受け付けるステップである請求項１４記載の項目表示方法。
【請求項１６】
前記ステップ（ａ）は、前記複数の項目の見出しを表示すると共に該表示した見出しから選択される項目を表示項目として受け付けるステップである請求項１４記載の項目表示方法。
【請求項１７】
複数の項目を表示する項目表示方法であって、
（ａ）前記複数の項目のうち表示が必須の必須項目と該必須項目以外の項目との見出しを区別可能に且つ選択可能に予め設定された順に一覧表示し、
（ｂ）該表示された見出しのうちの何れかが選択されたとき、前記設定された順において該選択された見出しに対応する項目より前の順に位置する必須項目の何れもが既に選択されているときには該選択された見出しに対応する項目を表示項目として設定し、前記設定された順において該選択された見出しに対応する項目より前の順に位置する必須項目の何れかがまだ選択されていないときには該見出しの選択を無効とし、
（ｃ）前記表示項目が設定されたときに該設定された表示項目を表示する
項目表示方法。
【請求項１８】
ネットワークを介して電子マニュアルの表示を要請したクライアントコンピュータに該ネットワークを介して該電子マニュアルを構成する複数の項目のうちの少なくとも一部の項目を表示可能に提供するマニュアル提供装置であって、
請求項１４ないし１７いずれか記載の項目表示方法を用いて前記表示項目を提供することを特徴とするマニュアル提供装置。
【発明の詳細な説明】
【技術分野】
【０００１】
本発明は、電子マニュアルおよび項目表示方法並びにマニュアル提供装置に関し、詳しくは、複数の項目からなる電子マニュアルおよび複数の項目を表示する項目表示方法並びにネットワークを介して電子マニュアルの表示を要請したクライアントコンピュータにネットワークを介して電子マニュアルを提供するマニュアル提供装置に関する。
【背景技術】
【０００２】
従来、この種の電子マニュアルとしては、機器のセットアップの手順を項目として順次表示するものが提案されている（例えば、特許文献１参照）。この電子マニュアルでは、各ステップを順に表示し、既に表示したステップについてはすべてのステップに戻って表示することはできるが、表示していないステップを飛ばして先のステップを選択して表示することはできないようにされている。このように未表示のステップを飛ばして先のステップを表示できないようにすることで、機器のセットアップをより確実に行なうことができるようにしている。
【０００３】
【特許文献１】特開平１１−５３３７７号公報（図５）
【発明の開示】
【発明が解決しようとする課題】
【０００４】
しかしながら、こうした電子マニュアルは、機器の知識を十分知らないユーザであっても機器のセットアップを確実に行なうことができるようになっているから、同様な機器のセットアップを複数回に亘って行なった経験を有するユーザにとっては不必要なステップも多く存在することとなる。こうした不必要なステップの表示は、ユーザに不快感を与えてしまい、電子マニュアルそのものを使用しない場合をも生じさせる。これでは、最低限の表示すら行なうことができず、機器の確実なセットアップを損なう結果を招いてしまう。
【０００５】
本発明の電子マニュアルおよび項目表示方法並びにマニュアル提供装置は、使用するユーザの知識レベルに応じた項目を順序だって表示することを目的の一つとする。また、本発明の電子マニュアルおよび項目表示方法並びにマニュアル提供装置は、最低限の表示を順序だって行なうことを目的の一つとする。
【課題を解決するための手段】
【０００６】
本発明の電子マニュアルおよび項目表示方法並びにマニュアル提供装置は、上述の目的の少なくとも一部を達成するために以下の手段を採った。
【０００７】
本発明の第１の電子マニュアルは、
複数の項目からなる電子マニュアルであって、
前記複数の項目のうち表示が必須の必須項目を含む表示項目を受け付け可能な表示項目受付モジュールと、
該受け付けた表示項目を前記複数の項目に設定された順にしたがって表示する表示制御モジュールと、
を備えることを要旨とする。
【０００８】
この本発明の第１の電子マニュアルでは、複数の項目のうち表示が必須の必須項目を含む表示項目を受け付け、受け付けた表示項目を複数の項目に設定された順にしたがって表示する。したがって、ユーザに項目の受け付けを行なわせることによりユーザの知識レベルに応じた項目を順序だって表示することができる。しかも、表示項目には必須項目を含ませるから、最低限の項目の表示を行なうことができる。
【０００９】
こうした本発明の第１の電子マニュアルにおいて、前記表示項目受付モジュールは、表示項目が異なる複数のコースを表示すると共に該複数のコースの表示に伴って選択されるコースを受け付けることにより表示項目を受け付けるモジュールであるものとすることもできる。こうすれば、ユーザは、複数のコースから所望のコースを選択することにより表示項目を受け付けさせることができる。
【００１０】
このコースを選択する態様の本発明の第１の電子マニュアルにおいて、前記複数のコースは、少なくとも前記複数の項目のすべてを表示項目とするコースと前記必須項目のみを表示項目とするコースとを含むものとすることもできる。
【００１１】
また、コースを選択する態様の本発明の第１の電子マニュアルにおいて、前記表示項目受付モジュールは、前記複数のコースを該コースに含まれる表示項目と共に表示するモジュールであるものとすることもできる。こうすれば、ユーザにコースを選択させるときにコースに含まれる表示項目を参照させることができ、ユーザの知識レベルに応じたコースの選択を行なうことを可能とする。
【００１２】
本発明の第１の電子マニュアルにおいて、前記表示項目受付モジュールは、前記複数の項目の見出しを表示すると共に該表示した見出しから選択される項目を表示項目として受け付けるモジュールであるものとすることもできる。こうすれば、ユーザに所望の表示項目を選択させることができる。
【００１３】
この項目の見出しを表示して選択させる態様の本発明の第１の電子マニュアルにおいて、前記表示項目受付モジュールは、選択された項目と選択されていない項目とを区別可能に表示するモジュールであるものとすることもできる。こうすれば、ユーザに選択された項目であるか否かを認識させることができる。
【００１４】
また、項目の見出しを表示して選択させる態様の本発明の第１の電子マニュアルにおいて、前記表示項目受付モジュールは、前記必須項目のすべてが選択される旨を前記見出しと共に表示するモジュールであるものとすることもできる。こうすれば、ユーザに必須項目が選択される旨を認識させることができる。
【００１５】
コースを選択する態様か項目の見出しを表示して選択させる態様のいずれかの態様の本発明の第１の電子マニュアルにおいて、前記表示項目受付モジュールは、前記必須項目と該必須項目以外の項目とを区別可能に表示するモジュールであるものとすることもできる。こうすれば、ユーザに必須項目とそれ以外の項目とを認識させることができる。
【００１６】
本発明の第２の電子マニュアルは、
複数の項目からなる電子マニュアルであって、
前記複数の項目のうち表示が必須の必須項目と該必須項目以外の項目との見出しを区別可能に且つ選択可能に予め設定された順に一覧表示する表示モジュールと、
該表示された見出しのうちの何れかが選択されたとき、前記設定された順において該選択された見出しに対応する項目より前の順に位置する必須項目の何れもが既に選択されているときには該選択された見出しに対応する項目を表示項目として設定し、前記設定された順において該選択された見出しに対応する項目より前の順に位置する必須項目の何れかがまだ選択されていないときには該見出しの選択を無効とする表示項目設定モジュールと、
該表示項目設定モジュールにより表示項目が設定されたとき、該設定された表示項目を表示する表示制御モジュールと、
を備えることを要旨とする。
【００１７】
この本発明の第２の電子マニュアルでは、複数の項目のうち表示が必須の必須項目と必須項目以外の項目との見出しを区別可能に且つ選択可能に予め設定された順に一覧表示し、表示された見出しのうちの何れかが選択されたときには、設定された順において選択された見出しに対応する項目より前の順に位置する必須項目の何れもが既に選択されているときにはこの選択された見出しに対応する項目を表示項目として設定し、設定された順において選択された見出しに対応する項目より前の順に位置する必須項目の何れかがまだ選択されていないときにはこの見出しの選択を無効とする。そして、表示項目が設定されたときに、この設定された表示項目を表示する。したがって、ユーザに表示させたい項目を選択させることができると共に必須項目を飛ばして先の項目の表示を防止することができる。この結果、ユーザの知識レベルに応じた項目を順序だって表示することができると共に最低限の項目の表示を行なうことができる。
【００１８】
こうした本発明の第２の電子マニュアルにおいて、前記表示項目設定モジュールは、前記見出しの選択を無効とするときには、前記設定された順において該選択された見出しに対応する項目より前の順に位置する必須項目のうちまだ選択されていない項目の見出しを用いて該未選択の必須項目の選択を促す表示を行なうモジュールであるものとすることもできる。こうすれば、ユーザに選択した見出しに対応する項目を表示しない理由を認識させることができる。
【００１９】
また、本発明の第２の電子マニュアルにおいて、前記表示モジュールは、前記表示制御モジュールにより表示された項目の見出しと表示されていない見出しとを区別可能に表示するモジュールであるものとすることもできる。こすうれば、ユーザに表示した項目と表示していない項目とを認識させることができる。
【００２０】
本発明の第１または第２の電子マニュアルにおいて、コンピュータの周辺機器のセットアップの手法について解説する電子マニュアルとすることもできる。この態様の本発明の第１または第２の電子マニュアルにおいて、前記必須項目は、製造メーカー毎に設計が異なる部位についての説明であるものとすることもできる。
【００２１】
本発明の第１の項目表示方法は、
複数の項目を表示する項目表示方法であって、
（ａ）前記複数の項目のうち表示が必須の必須項目を含む表示項目を受け付け、
（ｂ）該受け付けた表示項目を前記複数の項目に設定された順にしたがって表示する
ことを要旨とする。
【００２２】
この本発明の第１の項目表示方法によれば、複数の項目のうち表示が必須の必須項目を含む表示項目を受け付け、受け付けた表示項目を複数の項目に設定された順にしたがって表示するから、ユーザの知識レベルに応じた項目を順序だって表示することができると共に最低限の項目の表示を行なうことができる。
【００２３】
こうした本発明の第１の項目表示方法において、前記ステップ（ａ）は、表示項目が異なる複数のコースを表示すると共に該複数のコースの表示に伴って選択されるコースを受け付けることにより表示項目を受け付けるステップであるものとすることもできる。こうすれば、ユーザは、複数のコースから所望のコースを選択することにより表示項目を受け付けさせることができる。
【００２４】
また、本発明の第１の項目表示方法において、前記ステップ（ａ）は、前記複数の項目の見出しを表示すると共に該表示した見出しから選択される項目を表示項目として受け付けるステップであるものとすることもできる。こうすれば、ユーザに所望の表示項目を選択させることができる。
【００２５】
本発明の第２の項目表示方法において、
複数の項目を表示する項目表示方法であって、
（ａ）前記複数の項目のうち表示が必須の必須項目と該必須項目以外の項目との見出しを区別可能に且つ選択可能に予め設定された順に一覧表示し、
（ｂ）該表示された見出しのうちの何れかが選択されたとき、前記設定された順において該選択された見出しに対応する項目より前の順に位置する必須項目の何れもが既に選択されているときには該選択された見出しに対応する項目を表示項目として設定し、前記設定された順において該選択された見出しに対応する項目より前の順に位置する必須項目の何れかがまだ選択されていないときには該見出しの選択を無効とし、
（ｃ）前記表示項目が設定されたときに該設定された表示項目を表示する
ことを要旨とする。
【００２６】
この本発明の第２の項目表示方法によれば、複数の項目のうち表示が必須の必須項目と必須項目以外の項目との見出しを区別可能に且つ選択可能に予め設定された順に一覧表示し、表示された見出しのうちの何れかが選択されたときには、設定された順において選択された見出しに対応する項目より前の順に位置する必須項目の何れもが既に選択されているときにはこの選択された見出しに対応する項目を表示項目として設定し、設定された順において選択された見出しに対応する項目より前の順に位置する必須項目の何れかがまだ選択されていないときにはこの見出しの選択を無効とし、表示項目が設定されたときに、この設定された表示項目を表示するから、ユーザに表示させたい項目を選択させることができると共に必須項目を飛ばして先の項目の表示を防止することができる。この結果、ユーザの知識レベルに応じた項目を順序だって表示することができると共に最低限の項目の表示を行なうことができる。
【００２７】
本発明のマニュアル提供装置は、
ネットワークを介して電子マニュアルの表示を要請したクライアントコンピュータに該ネットワークを介して該電子マニュアルを構成する複数の項目のうちの少なくとも一部の項目を表示可能に提供するマニュアル提供装置であって、
上述のいずれかの態様の本発明の項目表示方法、即ち、基本的には、複数の項目を表示する項目表示方法であって、前記複数の項目のうち表示が必須の必須項目を含む表示項目を受け付け、該受け付けた表示項目を前記複数の項目に設定された順にしたがって表示する本発明の第１の項目表示方法や、複数の項目を表示する項目表示方法であって、前記複数の項目のうち表示が必須の必須項目と該必須項目以外の項目との見出しを区別可能に且つ選択可能に予め設定された順に一覧表示し、該表示された見出しのうちの何れかが選択されたとき、前記設定された順において該選択された見出しに対応する項目より前の順に位置する必須項目の何れもが既に選択されているときには該選択された見出しに対応する項目を表示項目として設定し、前記設定された順において該選択された見出しに対応する項目より前の順に位置する必須項目の何れかがまだ選択されていないときには該見出しの選択を無効とし、前記表示項目が設定されたときに該設定された表示項目を表示する本発明の第２の項目表示方法、を用いて前記表示項目を提供することを特徴とする。
【００２８】
この本発明のマニュアル提供装置は、ネットワークを介して要請したクライアントコンピュータに、ネットワークを介して本発明の第１の項目表示方法や本発明の第２の項目表示方法を用いて表示項目を提供するから、本発明の第１の項目表示方法が奏する効果や本発明の第２の項目表示方法が奏する効果、例えば、ユーザの知識レベルに応じた項目を順序だって表示することができる効果や最低限の項目の表示を行なうことができる効果などと同一の効果を奏することができる。
【発明を実施するための最良の形態】
【００２９】
次に、本発明の実施の形態を実施例を用いて説明する。図１は、本発明の一実施例である電子マニュアル４０をコンピュータ２０で表示する際の構成の概略を示す構成図である。実施例の電子マニュアル４０は、プリンタ３０をコンピュータ２０に接続する際のセットアップマニュアルとして構成されており、ＣＤ−ＲＯＭにマニュアルプログラムやマニュアルとして表示する各項目が書き込まれている。以下、プリンタ３０をコンピュータ２０に接続する際を事例として説明する。
【００３０】
コンピュータ２０は、図示しないＣＰＵを中心として構成された一般的な汎用コンピュータであり、ＣＲ−ＲＯＭドライブ２２ａを備えるコンピュータ本体２２とキーボード２４とマウス２５とディスプレイ２６とにより構成されている。
【００３１】
プリンタ３０には、プリンタ３０とコンピュータ本体２２とを接続するためのプリンタケーブル３２やコンピュータ２０をプリンタ３０に適合させるためにコンピュータ本体２２にインストールするプリンタドライバが格納されたＣＤ−ＲＯＭ３４，本実施例の電子マニュアル４０が付属品として同梱されている。
【００３２】
次に、プリンタ３０の付属品として同梱された実施例の電子マニュアル４０がコンピュータ本体２２のＣＲ−ＲＯＭドライブ２２ａにセットされてマニュアルプログラムが起動されたときのコンピュータ２０の動作について説明する。図２は、電子マニュアル４０のマニュアルプログラムがコンピュータ２０で実行されることにより行なわれるマニュアル処理の一例を示すフローチャートである。電子マニュアル４０のマニュアルプログラムが実行されると、コンピュータ２０の図示しないＣＰＵは、まず、電子マニュアル４０に書き込まれたコースメニューを読み込んでディスプレイ２６に表示し（ステップＳ１００）、コースの選択を受け付ける処理を実行する（ステップＳ１１０）。コースメニューの一例を図３に示す。この図３の例では、コースとしては「初級」「中級」「上級」の三つのコースが用意されており、各コースで表示する項目が一覧表示されている。表示された項目のうち、「３．ケーブルの接続」と「５．インクカートリッジの取り付け」の二つの項目は、いずれのコースでも表示項目として設定される必須の項目であり、そのことが解るように「◎」で表示されると共に下線が施されている。この二つの項目は、プリンタ毎にその取り扱いが異なる場合が多いものであるため、プリンタ３０の製造メーカーがユーザに必ず表示してもらいたいものとして必須項目としているのである。なお、この例では、「初級」コースでは、必須項目を含めてすべての項目が表示項目として選択され、「上級」コースでは必須項目だけが表示項目として選択されている。また、「中級」コースでは、どのコンピュータでも同様な内容の項目やどのプリンタでも同様な内容の項目が表示項目からはずされている。ユーザは、このコースメニューを参考にしながら、自らが必要とする表示項目が含まれるコースを選択すればよい。
【００３３】
こうしたコースメニューからコースが選択されて［次へ］ボタンが押されると、選択されたコースに基づいて表示項目と表示順とを設定する（ステップＳ１２０）。即ち、図３のコースメニューに表示された各コースの表示項目をその順に表示するものとして設定するのである。そして、設定した表示項目の最初の順位の表示項目を電子マニュアル４０から読み出してディスプレイ２６に表示し（ステップＳ１３０）、ユーザからの入力を待つ（ステップＳ１４０）。「初級」コースが選択されたときの最初の表示項目である「１．保護具の取り外し方」を表示する画面の一例を図４に示す。図４の例に示すように、画面には［戻る］ボタンと［次へ］ボタンとの二つのボタンが表示されており、この二つのボタンに対するユーザの入力を可能としている。なお、「中級」コースが選択されたときには、最初の表示項目として「２．プリンタの組み立て」が電子マニュアル４０から読み出されてディスプレイ２６に表示され、「上級」コースが選択されたときには、最初の表示項目として「３．ケーブルの接続」が電子マニュアル４０から読み出されてディスプレイ２６に表示されることになる。
【００３４】
ユーザからの入力を受け付けると、その入力が［次へ］ボタンの押下であるときには、現在表示している表示項目の次の順位の表示項目を電子マニュアル４０から読み出してディスプレイ２６に表示して（ステップＳ１５０）、再びユーザからの入力を待つ（ステップＳ１４０）。一方、ユーザからの入力が［戻る］ボタンの押下のときには、現在表示している表示項目の前の順位の表示項目を電子マニュアル４０から読み出してディスプレイ２６に表示して（ステップＳ１６０）、再びユーザからの入力を待つ（ステップＳ１６０）。現在表示している表示項目がコースの最後に表示される項目であるときには、画面には、［次へ］ボタンに代えて［終了］ボタンが表示される。ユーザの入力がこの［終了］ボタンの押下のときには、マニュアルの表示を終了する。
【００３５】
以上説明した実施例の電子マニュアル４０によれば、プリンタ３０をセットアップするユーザに表示項目を設定するコースを選択させ、選択したコースに応じた表示項目を予め設定された順にしたがって表示するから、ユーザの知識レベルに応じた項目を順序だって表示することができる。しかも、いずれのコースを選択しても必須項目のすべてが表示項目に含まれるから、最小限の表示を順序だって行なうことができる。
【００３６】
ここで、実施例の電子マニュアル４０では、図３のコースメニューを表示すると共にコースの選択を受け付けるステップＳ１００およびＳ１１０の処理が本発明の第１の電子マニュアルの表示項目受付モジュールに相当し、コースに基づいて表示項目とその表示順を設定するステップＳ１２０の処理とステップＳ１３０〜Ｓ１６０の処理が本発明の第１の電子マニュアルの表示制御モジュールに相当する。
【００３７】
実施例の電子マニュアル４０では、「初級」「中級」「上級」の三つのコースを選択することができるものとしたが、選択できるコースの数は三つに限定されるものではなく、二つまたは四つ以上の如何なる数であってもかまわない。
【００３８】
次に、本発明の第２の実施例の電子マニュアル４０Ｂについて説明する。第２実施例の電子マニュアル４０Ｂは、第１実施例の電子マニュアル４０と処理が異なるだけで同様な内容をしている。以下、第２実施例の電子マニュアル４０Ｂの処理について説明する。図５は、第２実施例の電子マニュアル４０Ｂのマニュアルプログラムがコンピュータ２０で実行されることにより行なわれるマニュアル処理の一例を示すフローチャートである。第２実施例の電子マニュアル４０Ｂのマニュアルプログラムが実行されると、コンピュータ２０の図示しないＣＰＵは、まず、電子マニュアル４０Ｂに書き込まれたメニューを読み込んでディスプレイ２６に表示し（ステップＳ２００）、ユーザによる項目の選択を受け付ける処理を実行する（ステップＳ２１０）。メニューの一例を図６に示す。この図６の例では、各項目が一覧表示されている。第２実施例の電子マニュアル４０Ｂでも第１実施例の電子マニュアル４０と同様に、表示された項目のうち「３．ケーブルの接続」と「５．インクカートリッジの取り付け」の二つの項目は、ユーザによる選択の有無に拘わらず表示項目として設定される必須項目であり、そのことが解るように「◎」で表示されると共に下線が施されている。また、メニューには、この必須項目については、ユーザにより選択されないときでも選択された項目として取り扱われる旨も記載されている。ユーザは、このメニューに一覧表示された項目をマウス２５によりクリックして反転させることにより項目の選択を行なう。図７に項目を選択している様子の一例を示す。図７の例では、「１．保護具の取り外し方」「３．ケーブルの接続」「７．ユーザ登録」が選択されている。
【００３９】
こうしたメニューから項目が選択されて［次へ］ボタンが押されると、選択された項目に基づいて表示項目と表示順とを設定する（ステップＳ２２０）。このとき、選択された項目に必須項目が含まれていないときには、必須項目も選択された項目として取り扱われて表示順が設定される。即ち、選択の有無を問わず、必須項目と選択された項目とを表示項目とすると共にこの表示項目に対して図６や図７のメニューに示した順を表示順とするのである。例えば、図７の例の状態で［次へ］ボタンが押されたときには、「５．インクカートリッジの取り付け」については選択されていないが、この項目は必須項目であるから、選択された項目として取り扱われるから、「１．保護具の取り外し方」「３．ケーブルの接続」「５．インクカートリッジの取り付け」「７．ユーザ登録」が表示項目として設定され、この順が表示順として設定される。
【００４０】
こうして表示項目と表示順とを設定すると、設定した表示項目の最初の順位の表示項目を電子マニュアル４０Ｂから読み出してディスプレイ２６に表示し（ステップＳ２３０）、ユーザからの入力を待つ（ステップＳ２４０）。これ以降のステップＳ２４０〜Ｓ２６０の処理は、第１実施例の電子マニュアル４０におけるステップＳ１４０〜Ｓ１６０の処理と同一の処理である。したがって、その詳細な説明は省略する。
【００４１】
以上説明した第２実施例の電子マニュアル４０Ｂによれば、プリンタ３０をセットアップするユーザに項目を選択させて表示項目を設定し、設定した表示項目を予め設定された順にしたがって表示するから、ユーザの知識レベルに応じた項目を順序だって表示することができる。しかも、ユーザが必須項目については選択しないときでも選択されたものとして扱うから、最小限の表示を順序だって行なうことができる。
【００４２】
ここで、第２実施例の電子マニュアル４０Ｂでは、図６のメニューを表示すると共に項目の選択を受け付けるステップＳ２００およびＳ２１０の処理が本発明の第１の電子マニュアルの表示項目受付モジュールに相当し、選択された項目に基づいて表示項目とその表示順を設定するステップＳ２２０の処理とステップＳ２３０〜Ｓ２６０の処理が本発明の第１の電子マニュアルの表示制御モジュールに相当する。
【００４３】
次に、本発明の第３実施例の電子マニュアル４０Ｃについて説明する。第３実施例の電子マニュアル４０Ｃも、第１実施例の電子マニュアル４０と処理が異なるだけで同様な内容をしている。以下、第３実施例の電子マニュアル４０Ｃの処理について説明する。図８は、第３実施例の電子マニュアル４０Ｃのマニュアルプログラムがコンピュータ２０で実行されることにより行なわれるマニュアル処理の一例を示すフローチャートである。第３実施例の電子マニュアル４０Ｃのマニュアルプログラムが実行されると、コンピュータ２０の図示しないＣＰＵは、まず、電子マニュアル４０Ｃに書き込まれたトップページとメニューとを読み込んで別のフレームとしてディスプレイ２６に表示して（ステップＳ３００）、ユーザからの入力を受け付ける処理を実行する（ステップＳ３１０）。トップページとメニューとを別のフレームに表示する画面の一例を図９に示す。この図９の例では、メニューのフレームには、各項目が一覧表示されており、トップページのフレームにはマニュアルの説明が表示されている。第３実施例の電子マニュアル４０Ｃでも第１実施例の電子マニュアル４０と同様に、表示された項目のうち「３．ケーブルの接続」と「５．インクカートリッジの取り付け」の二つの項目は必須項目であり、そのことが解るように下線が施されている。また、トップページのフレームには、この必須項目について、ユーザに対して必ず読む旨の記載がなされている。ユーザは、メニューに一覧表示された項目をマウス２５によりクリックすることにより項目の選択を行なうことができる。なお、メニューのフレームには、［終了］ボタンも表示される。
【００４４】
ユーザがメニューのフレームから入力すると、入力した内容を判定し（ステップＳ３２０）、［終了］ボタンが選択されたときにはマニュアルを終了する。メニューに一覧表示された項目のうちのいずれかの項目が選択されたときには、選択された項目より順位が前の必須項目のすべてが既に表示されたか否かを判定し（ステップＳ３３０）、その必須項目のすべてが既表示のときには（ステップＳ３４０）、選択された項目を表示項目として電子マニュアル４０Ｃから読み込んでディスプレイ２６に表示して（ステップＳ３５０）、ユーザの入力を待つ（ステップＳ３１０）。例えば、図１０に例示するように、「１．保護具の取り外し方」「２．プリンタの組み立て」「３．ケーブルの接続」と順に項目が選択された状態で「４．ドライバのインストール」が選択されたときや「５．インクカートリッジの取り付け」が選択されたときには、選択された項目より順位が前の必須項目は、「３．ケーブルの接続」であり、この項目は既に表示されているから、選択された項目が表示されることになる。一方、選択された項目より順位が前の必須項目のいずれかがまだ表示されていないときには、未表示の必須項目の選択を促す旨の記載を表示して（ステップＳ３６０）、ユーザの入力を待つ（ステップＳ３１０）。例えば、図１０に例示する状態で「６．プリンタの使い方を知りたいときは」や「７．ユーザ登録」が選択されたときには、その選択された項目より順位が前の必須項目「３．ケーブルの接続」と「５．インクカートリッジの取り付け」のうち「５．インクカートリッジの取り付け」はまだ表示されていないから、図１１に例示するように、その項目を選択して表示してから先の項目を選択する旨が表示される。
【００４５】
なお、第３実施例の電子マニュアル４０Ｃでは、図１０や図１１に示すように、メニューから選択して表示した項目は、既に表示したことが解るように項目を反転して示すものとした。
【００４６】
したがって、第３実施例の電子マニュアル４０Ｃでは、「４．ドライバのインストール」以降の項目を表示させたいときには、その前の必須項目である「３．ケーブルの接続」を表示させた後に項目を選択しなければならず、「６．プリンタの使い方を知りたいときは」以降の項目を表示させたいときには、その前の必須項目である「３．ケーブルの接続」と「５．インクカートリッジの取り付け」とを表示させた後に項目を選択しなければならないのである。こうした処理により、必ず必須項目について表示させることができる。なお、第３実施例の電子マニュアル４０Ｃでは、表示する項目が逆順になる場合も生じる。例えば、図１０状態から「５．インクカートリッジの取り付け」を選択して表示させた後に「４．ドライバのインストール」を選択して表示させる場合である。第３実施例の電子マニュアル４０Ｃでは、必須項目だけを順に表示させるものとしているのである。
【００４７】
以上説明した第３実施例の電子マニュアル４０Ｃによれば、プリンタ３０をセットアップするユーザに項目を選択させて表示項目を表示するから、ユーザの知識レベルに応じた項目を表示することができる。しかも、ユーザは必須項目を選択して表示しなければその先の項目については選択できないから、最小限の表示を順序だって行なわせることができる。
【００４８】
ここで、第３実施例の電子マニュアル４０Ｃでは、図９ないし図１１のメニューのフレームを表示するステップＳ３００の処理とユーザの入力を受け付けるステップＳ３１０の処理が本発明の第２の電子マニュアルの表示モジュールに相当し、ステップＳ３２０〜ステップＳ３５０の処理が表示項目設定モジュールに相当し、ステップＳ３５０の処理が表示制御モジュールに相当する。
【００４９】
各実施例の電子マニュアル４０，４０Ｂ，４０Ｃでは、プリンタ３０と同梱されるＣＤ−ＲＯＭにマニュアルが記憶されており、コンピュータ本体２２のＣＲ−ＲＯＭドライブ２２ａにセットしてコンピュータ２０にマニュアルプログラムを読み込ませるものとしたが、こうしたマニュアルをウェブページとしてインターネットなどのネットワークを介して送信するものとしてもよい。例えば、図１２に例示するように、インターネットに接続されたウェブサーバとしてのマニュアル提供サーバ５０にコンピュータ２０からの要請に基づいて図２や図５，図８などのマニュアル処理を実行させ、メニューや表示項目のコンピュータ２０のディスプレイ２６への表示についてはウェブページとしてコンピュータ２０に送信するものとし、ユーザによるメニューからの入力についてはその入力データをインターネットを介して入力するものとすればよい。
【００５０】
各実施例の電子マニュアル４０，４０Ｂ，４０Ｃでは、プリンタ３０のセットアップマニュアルとして構成したが、スキャナやプロジェクタなどのコンピュータの周辺機器のセットアップマニュアルとして構成してもよく、必須項目を順序だって表示することが好ましい複数の項目を表示する如何なるタイプのマニュアルとして構成してもよい。
【００５１】
各実施例では、電子マニュアル４０，４０Ｂ，４０Ｃの形態として説明したが、必須項目を含む複数の項目の表示方法の形態としてもよい。
【００５２】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００５３】
【図１】電子マニュアル４０を起動するコンピュータ２０の構成図。
【図２】第１実施例のマニュアル処理の一例を示すフローチャート。
【図３】コースメニューの一例を示す説明図。
【図４】表示項目の表示画面の一例を示す説明図。
【図５】第２実施例のマニュアル処理の一例を示すフローチャート。
【図６】メニューの一例を示す説明図。
【図７】項目を選択している様子を示す説明図。
【図８】第３実施例のマニュアル処理の一例を示すフローチャート。
【図９】トップページとメニューの画面の一例を示す説明図。
【図１０】項目を選択している様子を説明する説明図。
【図１１】未表示必須項目の表示を促す様子を説明する説明図。
【図１２】ウェブサーバを用いた際の構成図。
【符号の説明】
【００５４】
１  コンピュータ、２２  コンピュータ本体、２２ａ  ＣＲ−ＲＯＭドライブ、２４  キーボード、２５  マウス、２６  ディスプレイ、３０  プリンタ、３２  プリンタケーブル、３４  ＣＤ−ＲＯＭ、４０，４０Ｂ，４０Ｃ  電子マニュアル、５０  マニュアル提供サーバ。
【図１】
2008077678.tif 000003
【図２】
2008077678.tif 000004
【図３】
2008077678.tif 000005
【図４】
2008077678.tif 000006
【図５】
2008077678.tif 000007
【図６】
2008077678.tif 000008
【図７】
2008077678.tif 000009
【図８】
2008077678.tif 000010
【図９】
2008077678.tif 000011
【図１０】
2008077678.tif 000012
【図１１】
2008077678.tif 000013
【図１２】
2008077678.tif 000014
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
複数の項目からなる電子マニュアルであって、
前記複数の項目のうち表示が必須の必須項目と該必須項目以外の項目との見出しを区別可能に且つ選択可能に予め設定された順に一覧表示する表示モジュールと、
該表示された見出しのうちの何れかが選択されたとき、前記設定された順において該選択された見出しに対応する項目より前の順に位置する必須項目の何れもが既に選択されているときには該選択された見出しに対応する項目を表示項目として設定し、前記設定された順において該選択された見出しに対応する項目より前の順に位置する必須項目の何れかがまだ選択されていないときには該見出しの選択を無効とする表示項目設定モジュールと、
該表示項目設定モジュールにより表示項目が設定されたとき、該設定された表示項目を表示する表示制御モジュールと、
を備える電子マニュアル。
【請求項２】
前記表示項目設定モジュールは、前記見出しの選択を無効とするときには、前記設定された順において該選択された見出しに対応する項目より前の順に位置する必須項目のうちまだ選択されていない項目の見出しを用いて該未選択の必須項目の選択を促す表示を行なうモジュールである請求項１記載の電子マニュアル。
【請求項３】
前記表示モジュールは、前記表示制御モジュールにより表示された項目の見出しと表示されていない見出しとを区別可能に表示するモジュールである請求項１または２記載の電子マニュアル。
【請求項４】
コンピュータの周辺機器のセットアップの手法について解説する請求項１ないし３いずれか１項に記載の電子マニュアル。
【請求項５】
前記必須項目は、製造メーカー毎に設計が異なる部位についての説明である請求項４記載の電子マニュアル。
【請求項６】
複数の項目を表示する、コンピュータのソフトウェアによる項目表示方法であって、
（ａ）前記コンピュータは、前記複数の項目のうち表示が必須の必須項目と該必須項目以外の項目との見出しを区別可能に且つ選択可能に予め設定された順に一覧表示し、
（ｂ）前記コンピュータは、該表示された見出しのうちの何れかが選択されたとき、前記設定された順において該選択された見出しに対応する項目より前の順に位置する必須項目の何れもが既に選択されているときには該選択された見出しに対応する項目を表示項目として設定し、前記設定された順において該選択された見出しに対応する項目より前の順に位置する必須項目の何れかがまだ選択されていないときには該見出しの選択を無効とし、
（ｃ）前記コンピュータは、前記表示項目が設定されたときに該設定された表示項目を表示する
項目表示方法。
【請求項７】
ネットワークを介して電子マニュアルの表示を要請したクライアントコンピュータに該ネットワークを介して該電子マニュアルを構成する複数の項目のうちの少なくとも一部の項目を表示可能に提供するマニュアル提供装置であって、
請求項６記載の項目表示方法を用いて前記表示項目を提供することを特徴とするマニュアル提供装置。